(57)【要約】【課題】散水用水、散布される薬剤の希釈の為の希釈用水を節水し、給水、薬剤希釈液調合の為の水場と散布場所の往復作業を軽減する散水用水の節水方法、さらに節水式散水装置及び節水式薬剤散布装置を提供する。【解決手段】本発明は、上記課題を解決するため、散水環境雰囲気中の水分を回収し、回収した回収水を散水用水として利用することを特徴とする散水用水の節水方法の構成とした。また、散水環境雰囲気中の水分を回収する水分回収装置と、前記水分回収装置で回収した回収水を貯溜するタンクと、前記タンクの水を散水する散水ノズルと、からなることを特徴とする節水式散水装置の構成とした。そして、前記節水式散水装置に、さらに、薬剤を貯溜する薬剤タンクと、前記回収水と前記薬剤を混合希釈した希釈薬剤を貯溜する希釈薬剤タンを備え、前記希釈薬剤を前記散水ノズルで散布環境に散布することを特徴とする節水式薬剤散布装置の構成とした。【選択図】図１
2011229499.tif 000002
【特許請求の範囲】
【請求項１】
散水環境雰囲気中の水分を回収し、回収した回収水を散水用水として利用することを特徴とする散水用水の節水方法。
【請求項２】
散水環境面に風を吹きかけ、前記散水環境面に当たった風を回収して得た空気に含まれる水分を液化回収することで前記散水環境雰囲気中の水分の回収を行うことを特徴とする請求項１に記載の散水用水の節水方法。
【請求項３】
前記散水環境面に吹きかける風が、温風であることを特徴とする請求項２に記載の散水用水の節水方法。
【請求項４】
前記散水用水が、農薬希釈用水又は肥料希釈用水或いは植物灌水用水の内何れかであることを特徴とする請求項１〜請求項３の何れか１項に記載の散水用水の節水方法。
【請求項５】
散水環境雰囲気中の水分を回収する水分回収装置と、前記水分回収装置で回収した回収水を貯溜するタンクと、前記タンクの水を散水する散水ノズルと、からなることを特徴とする節水式散水装置。
【請求項６】
前記水分回収装置には、熱交換器が備えられ、前記散水環境雰囲気中の空気を吸引し、前記熱交換器の冷却部で冷却し、その後、排気することを特徴とする請求項５に記載の節水式散水装置。
【請求項７】
前記熱交換器の熱源がヒートポンプであり、前記排気を前記熱交換器の加熱部で前記冷却部の排熱を利用して加熱し、加熱された排気を散水環境面に吹きかけ、前記散水環境面に当たった風を吸引して得た空気を前記冷却部で冷却することで、排熱を再利用することを特徴とする請求項６に記載の節水式散水装置。
【請求項８】
請求項５〜請求項７の何れか１項に記載の節水式散水装置に、さらに、薬剤を貯溜する薬剤タンクと、前記回収水と前記薬剤を混合希釈した希釈薬剤を貯溜する希釈薬剤タンを備え、前記希釈薬剤を前記散水ノズルで散布箇所に散布することを特徴とする節水式薬剤散布装置。
【発明の詳細な説明】
【技術分野】
【０００１】
本発明は、散水用水の節水方法、水を散水するに際して水を節水できる節水式散水装置、また薬剤を散布するに際して薬剤の希釈用水を節水できる節水式薬剤散布装置に関する。
【０００２】
ここで、「散水用水」とは、植物、その他水の散水を必要とする箇所に散水される水のことであり、農薬、肥料などの希釈用水も含む。また「薬剤」とは、農業の効率化、或いは農作物の保存に使用される殺菌剤、防黴剤、殺虫剤、除草剤、植物成長調整剤等の農薬、その他、土壌又は植物に対して、何らかの効果を期待されるもの、その他薬品も含み、液体、固体状で、水に溶解又は分散或いは水で希釈して土壌又は植物、その他散水を必要とする箇所に散布されるものである。例えば、肥料、肥料液なども含むこととなる。
【背景技術】
【０００３】
植物への灌水では、蛇口にホースを接続し、水道水などを散水している。また、長い距離の移動を伴う植物への灌水には、水道管を敷設し複数の蛇口を設ける方法、穴あきホースなどを敷設して灌水する方法が取れられている。
【０００４】
他方、農薬散布に際し、散布場所が比較的狭小な場合には、背負い式の動力付き噴霧器で背負いタンクから農薬希釈液を散布場所に噴霧している。より広範な散布場所、例えば、圃場、ゴルフ場などでは、駆動付き車両に農薬タンクとポンプを積載し、農薬タンクからポンプで農薬希釈液をノズルに送り散布場所に噴霧などしている。
【０００５】
このようにして農薬を散布する場合、一般に、水道、井戸、河川、湖沼、溜池、雨水貯溜場等の「水場」で農薬タンクに農薬希釈液を調合し、散布場所で農薬を散布し、農薬希釈液を散布し尽くしたら、また水場に戻り農薬希釈液を調合し、散布することを繰り返す必要があった。このような、繰り返しの農薬希釈液調合作業は作業者に極めて煩雑な作業であった。
【０００６】
その煩雑な農薬希釈液調合作業を無くすべく、効率的な農薬散布装置が提案されている。例えば、特許文献１に記載の農薬等の薬液散布装置、特許文献２に記載のスプリンクラーを利用した農薬散布装置などがある。
【０００７】
特許文献１に記載の発明は、ゴルフ場内における効率的な農薬散布を可能とする農薬等の薬液散布装置を摘要することを目的に、ゴルフ場内におけるフェアウェー、グリーンの周囲に点在せしめた散水用の導水部と、散水用の導水部からの水を導入する水導入、この水導入部から導入される水に薬剤を混入する薬剤混入部、薬剤が混入された薬液を撹拌する撹拌部、該薬液を導出する薬液導出部、導水量、薬剤混入量を制御する制御部を有する移動車と、からなる。
【０００８】
特許文献２に記載の発明は、ゴルフ場等で、スプリンクラーを利用して広範囲にわたり薬液散布を可能とすると共に、薬液タンクを具備する薬液供給装置を自走可能としたスプリンクラーを利用した薬液散布装置に関し、送水管の一端を水源に、他端をスプリンクラーに接続して散水装置を構成する一方、薬液タンクと圧送装置とを具備する薬液供給装置を自走可能に構成し、しかも、前記送水管の一部をベンチュリ部となし、同ベンチュリ部と前記薬液供給装置とを連通自在の構成としている。
【先行技術文献】
【特許文献】
【０００９】
【特許文献１】特開平０５−３７４５号公報
【特許文献２】特開平０７−２９８８１９号公報
【発明の概要】
【発明が解決しようとする課題】
【００１０】
従来、散水用水の使用に際して、給水補給の移動の作業性を改善する試みは行われているが、節水を考慮した散水方法は知られていない。同様に、特許文献１、２の発明では、確かに、農薬希釈液調合の為の水場の往復作業はなくなるが、節水の観点は全く考慮されていない。また、薬剤散布において、薬剤希釈用水の節水を考慮した発明、考案は知られていない。
【００１１】
そこで、本発明は、散水用水、散布される薬剤の希釈の為の希釈用水を節水し、給水、薬剤希釈液調合の為の水場と散布場所の往復作業を軽減できる散水用水の節水方法、さらに節水式散水装置及び節水式薬剤散布装置を提供することを目的とするものである。
【課題を解決するための手段】
【００１２】
上記の課題を解決するために、本発明は、散水環境雰囲気中の水分を回収し、回収した回収水を散水用水として利用することを特徴とする散水用水の節水方法の構成、散水環境面に風を吹きかけ、前記散水環境面に当たった風を回収して得た空気に含まれる水分を液化回収することで前記散水環境雰囲気中の水分の回収を行うことを特徴とする前記記載の散水用水の節水方法の構成、前記散水環境面に吹きかける風が、温風であることを特徴とする前記記載の散水用水の節水方法の構成、前記散水用水が、農薬希釈用水又は肥料希釈用水或いは植物灌水用水の内何れかであることを特徴とする前記何れかに記載の散水用水の節水方法の構成とした。
【００１３】
また、散水環境雰囲気中の水分を回収する水分回収装置と、前記水分回収装置で回収した回収水を貯溜するタンクと、前記タンクの水を散水する散水ノズルと、からなることを特徴とする節水式散水装置の構成、前記水分回収装置には、熱交換器が備えられ、前記散水環境雰囲気中の空気を吸引し、前記熱交換器の冷却部で冷却し、その後、排気することを特徴とする前記記載の節水式散水装置の構成、前記熱交換器の熱源がヒートポンプであり、前記排気を前記熱交換器の加熱部で前記冷却部の排熱を利用して加熱し、加熱された排気を散水環境面に吹きかけ、前記散水環境面に当たった風を吸引して得た空気を前記冷却部で冷却することで、排熱を再利用することを特徴とする前記記載の節水式散水装置の構成とした。
【００１４】
そして、前記何れかに記載の節水式散水装置に、さらに、薬剤を貯溜する薬剤タンクと、前記回収水と前記薬剤を混合希釈した希釈薬剤を貯溜する希釈薬剤タンを備え、前記希釈薬剤を前記散水ノズルで散布箇所に散布することを特徴とする節水式薬剤散布装置の構成とした。
【００１５】
なお、本発明において「散水」とは、霧状、シャワー状など散水される水の形態は特に限定されず、水を必要とする箇所に水を供給することであり、灌水、薬剤の希釈用水など散水される水の用途も限定されない。
【００１６】
また、本発明において「散水環境雰囲気」とは、散水場所周辺の空気を指す。「散水環境雰囲気中の水分」とは、散水環境雰囲気中に分散する水分（湿度）、さらに散水環境雰囲気中に懸濁している水分、すなわち霧や雨のような不均一に空気中に存在する水分も含まれる。「散水環境雰囲気中の水分を回収」とは、散水環境雰囲気中の空気を通じて空気中に分散する水分（湿度）を凝集などさせて水として回収すること、またこの空気に懸濁している水分、すなわち霧や雨のような不均一に空気中に存在する水分を回収することも含まれる。
【００１７】
「水分回収」の手段としては、冷却凝縮、吸着などが例示できるが、空気中の水分を液化回収することができれば何れの方法でもよい。本発明において、水を回収するためには、直接雰囲気を冷凍機等で構成されるヒートポンプを用いて、その状態での露点以下の温度の界面に接触させることで、結露させる方式が簡単である。
【００１８】
前記冷凍機には、特に制限がなく、通常の機械式冷凍機を用いることができる。また、ペルチェ素子のような熱電素子を利用する冷凍機、または吸収式冷凍機を利用すると、機械的な駆動部分がない装置にすることができ、騒音や振動を抑えた装置とすることができる。
【００１９】
また、事前に環境雰囲気を種々吸着体に接触させながら、その気体部分の圧力を高めたり下げたりして、水分を濃縮させる方法（プレッシャースイング法）や、事前に環境雰囲気を種々吸着体に接触させながら、吸着体の温度を上下させて、水分を濃縮させる方法（サーマルスイング法）等の方法と組み合わせて、さらに効率よく水を回収する方法を採用しても良い。
【００２０】
「散水環境面」とは、回収したい水分が含まれ得る場所であれば制限はなく、直接散水する場所（散水箇所）及び散水箇所の近傍で風を反射する表面である。「散水箇所」とは、圃場表面、植物・農作物の表面、路面、その他散水を必要としている箇所である。
【００２１】
本発明において散水環境面に風を当てるのは、必要以上の水が付着または含まれている場所の水、または、水を回収でき得る場所に含まれる水をできるだけ回収し、節水することを目的としている。従って、散水環境面には、例えば、圃場であれば地表面或いは農作物表面であり、その他圃場近傍の畦、土手などの非耕作地表面、非栽培植物表面なども含む。
【００２２】
「温風」としては、より高温が好ましいが、散水環境面が植物・農作物の表面であれば、植物・農作物が耐えられる温度以下である。送風温度の決定は、その影響が季節や対象となる植物によって大きく異なり、場合によっては、植物の表面温度の急激な変化が生育に大きな障害を与えることが有るので、対象植物ごとに適宜変更する。また水分の回収の効率は散水環境雰囲気が低温の時は、すこしの温度差、例えば散水環境雰囲気温度＋５℃であっても十分効果的である。
【００２３】
風の強さについても、風が強い方が水の回収効率は高くなるが、風によって植物体同士が擦れ合うことによって、風傷みという障害が出ることが有るので、対象植物ごとに十分な事前検討の上適宜変更する。敏感な植物や花卉類によっては、温度を高めず、単に急速に水分が失われただけでも、障害が出るものがあるので、風の温度、風速は植物ごとに適宜変更することを要する。
【発明の効果】
【００２４】
本発明は、上記構成であるので以下の効果を発揮する。散水環境雰囲気中の水分を回収して散水用水として利用するため、散水用水の節水になる。さらに、散水用水の給水、或いは薬剤希釈調合の給水のための水場と散水場所の往復作業が軽減され、最小限の水場での給水回数で散水・薬剤散布することができる。
【００２５】
従って、水道水、井戸水、河川水、湖沼水、雨水などを採取する「水源」が遠い或いは全くない散水・散布する作業環境、例えば山中の山林、原野、大規模な牧草地や農作物栽培地、または孤島、砂丘や砂漠の様な作業環境に於いても、散水、さらには病害虫の防除のために農薬等の散布を効率的に行うことができる。より具体的には、ゴルフ場における散水または薬剤散布、水田における薬剤散布において効果的である。
【００２６】
一般に、農薬等散布液は糊状の成分（添着剤・固着剤）を含有しており、一度乾燥させることによって、植物体への固着性を高める処方となっていることが多い。このため散布直後で十分に乾燥していない状態で雨に当たると、農薬等は洗い流され、その効果が低下することが知られている。ところが、風を利用して空気中の水分を回収する構成の本発明においては、短時間で散布薬剤を乾燥させることができるため、雨天下でも、晴天時と同様の残効性を持つ農薬等の散布が可能になる。
【００２７】
また、風を利用して空気中の水分を回収する本発明では、晴天下であっても、夜露、朝露を利用することで節水効果を高め、効率的、効果的に散水・散布等を実施することができる。さらに、付着薬剤の乾燥も気にする必要が無いため、夜間に実施することも可能になる。加えて、節水式散水装置、節水式散布装置の動力源として、太陽電池や風力発電等で自然エネルギーを利用することで、省エネや二酸化炭素排出量抑制による環境負荷低減も期待できる。
【００２８】
農薬・肥料等の薬剤の形態は、液体でも固体でも良く、少水量散布に適合する薬剤や散布装置を合わせて用いることによって、さらに高い節水を達成することができる。
【００２９】
本発明である節水式散水装置及び節水式薬剤散布装置を独立した装置としてコンパクトに製造することにより、人が持って移動できる散水機、噴霧器とすることもできる。また、車両で牽引されるような大掛かり装置とすることで、高い能力を持つ節水式散水装置及び節水式薬剤散布装置とすることもできる。
【００３０】
例えば、動力を持つトラクターやコンバインのような農業機械に牽引させる装置にすると、汎用性が高く使用者が簡単に利用できる装置になる。牽引する機械より、電力や燃料またはその軸動力の提供を受けられるように設計すると、その利便性を向上させたり、製造コストを低減したりすることができる。
【００３１】
さらに、トラクター、コンバイン等、他の農業機械に組み込み、この農業機械の機能を高めた一体型の装置にすることもでき、さらに使用者の利便性を増すことができる。具体的には、散水を作物灌水に用いる場合に、目的作物の畝以外の部分を耕起しながら、耕起部分に風を当てその風より水分を回収すれば、その水を目的作物の灌水に利用できる。特に目的作物が幼く根の張りが不十分で浅く、土壌の表面近傍の水しか利用することができない場合は、特に効果的である。
【００３２】
一方、固定した施設に組み込んだ状態にしても、例えば、乾燥地方の灌漑や薬剤散布に用いることができる。特に乾燥している地方においては、点滴灌漑システムと組み合わせることによって、灌漑や薬剤散布を効率よく実施でき作物を育てることができる。さらに好ましくは、太陽電池及び蓄電池等のエネルギー源と組み合わせることで、水源やエネルギー供給源から遠く離れた乾燥地方においても、低エネルギーコストと低環境負荷で農業を営むことができる。
【００３３】
本発明は植物工場等においても、灌水や農薬・肥料の施用に適用することができる。例えば、病害虫等を避けるための厳密なクローズ化や、節水に寄与することができる。さらに本発明を、室内または屋外の園芸に適用すると、水やりや農薬・肥料の施用に手間をかけない園芸システムが構築できる。従って、職業としての農業・園芸だけでなく、趣味分野の農業・園芸にも適用が可能である。
【００３４】
このように、本発明である節水式散水装置及び節水式薬剤散布装置により、本来土壌中に存在していた水を、必要な目的作物だけに、集中して供給し、過剰な水を節約することができるので、土壌の有用な成分、栄養、ミネラル等が過剰な灌水によって、流亡させることが無い。従って、目的作物はこれらの有用成分を利用することができるので、収穫の増大が期待でき、さらにこの土壌の有用成分の流亡に因る砂漠化を防ぐ効果もある。
【００３５】
一方、乾燥している地域では、返って過剰な灌水によって、地中の塩類が地上に濃縮されることで塩害が発生し、砂漠化が進んでいることが問題になっている。このような世界中の乾燥地域においても、本発明の節水方法で灌水することで、地中深くに水を浸透させることなく灌水を行えるために、これらの塩害を防ぐことができ、砂漠化を防ぐという環境保全の一役を担うこともできる。
【図面の簡単な説明】
【００３６】
【図１】本発明である節水式散水装置の一実施形態の部分断面模式図である。
【図２】本発明である節水式薬剤散布装置の一実施形態の部分断面模式図である。
【図３】本発明である節水式薬剤散布装置の他の実施形態の部分断面模式図である。
【発明を実施するための形態】
【００３７】
以下、本発明について図面を参照しながら詳細に説明する。  
【実施例１】
【００３８】
図１は、本発明である節水式散水装置の一実施形態の部分断面模式図である。節水式散水装置１７は、走行車２と、走行車２に積載される水分回収装置３と、タンク４と、散水ノズル７からなる。
【００３９】
走行車２は、タイヤ２ａと、走行車２駆動用のエンジン或いはモーターなどの動力さらに制動装置その他自走のための制御装置（図示省略）を有し、散水路面９（図２、３では散布路面９ｂ）を前後左右自走可能な車両である。既存の農耕用車両及び牽引車両、トラックなどに組み込んでもよい。
【００４０】
ここでは、散水路面９は、農作物９ａが作付けしてある圃場などである。散水路面９は、その他に、水の散水を必要とする箇所であればよい。また、本発明の節水式散水装置は、走行車２を伴わず、水分回収装置３とタンク４を作業者の背中で背負う背負噴霧器形式の節水式散水装置としてもよい。
【００４１】
水分回収装置３は、散水環境雰囲気中（図２では散布環境雰囲気中）の水分を回収する装置である。ここでは、散水環境雰囲気中の空気を吸引する吸気口３ｂ、排気する排出口３ｃを有し、空気から回収した回収水３ｇを底部に一時貯溜する回収室３ａと、排出口３ｃに設けられ空気を吸気口３ｂ、排出口３ｃから吸引、排気する送風機３ｄと、回収室３ａ内部に収納された水回収部３ｅとからなる。送風機３ｄは、空気を吸引し、排気するファン、ブロワなどである。その駆動のための動力源は図示を省略した。走行車２の動力、他のエンジン、電源で駆動させることができる。
【００４２】
水回収部３ｅは、回収室３ａに吸引された空気を冷却し空気中の水分を凝縮水３ｆとする冷凍機、その他、空気中の水分を吸着、加熱して液化回収する装置など、散水・散布環境雰囲気中の水分を液化回収することができれば、何れの手段であってもよい。回収水３ｇは、タンク４に送られる。
【００４３】
タンク４は、水分回収装置３で散水環境雰囲気中の水分を液化回収した水４ａ（回収水３ｇ）、必要に応じて水場で採取した給水との混合水４ａを貯溜する容器である。従って、タンク４は、水分回収装置３に接続するとともに、水源水を供給する給水口４ｂを有する。
【００４４】
散水ノズル７は、散水路面９に水４ａを散水する装置である（図２、３では薬剤を散布する）。図１では、散水ノズル７は、タンク４の底部に接続し、水４ａの自重で、水４ａをシャワー状に散水路面９の農作物９ａの上から散水している。
【００４５】
散水ノズル７には、その他に、タンク４から水４ａを汲み上げるポンプも含まれることがある。そのポンプは、走行車２の動力、他のエンジン、電源で駆動させることができる。また、散水される水４ａの形状は、スプレー状の他に、霧状、蛇口から吐出される形状であっても勿論よい。
【００４６】
また、「散水」には、勿論、農作物９ａの作付け圃場に直接散水すること、また圃場に張り巡らした水路などに補給すること等も含まれる。
【実施例２】
【００４７】
図２は、本発明である節水式薬剤散布装置の一実施形態の部分断面模式図である。節水式薬剤散布装置１は、走行車２と、水分回収装置３と、タンク４と、薬剤タンク５と、希釈薬剤タンク６と、混合装置１５と、散水ノズル７からなる。なお、実施例２において、実施例１と同一の符号及び名称は、実施例１と同一の作用・効果を奏し、その説明を省略する。図３においても同じ。
【００４８】
薬剤タンク５は、液体（原液、濃縮薬剤、希釈液）、固体（粉末、顆粒）状の薬剤５ａを補充する補充口５ｃを有し、薬剤５ａを貯溜する容器である。薬剤５ａは、水４ａの流量に比例させ、所定の混合比率になるよう希釈薬剤タンク６に連結する管を通し希釈薬剤タンク６に注入される。
【００４９】
例えば、図２に示したように、薬剤タンク５が、希釈薬剤タンク６上に配置されていれば、水４ａの流量に比例させるよう、薬剤タンク５と希釈薬剤タンク６とを連結する管に設けたバルブ５ｂの開閉を制御すればよい。また、薬剤５ａをポンプにより希釈薬剤タンク６に注入することもできる。その場合には、水４ａの流量に比例させ、水４ａと薬剤５ａを所定の混合比率になるように、ポンプの運転を制御すればよい。従って、図示は省略したが、ポンプの駆動装置、バルブ５ｂ、ポンプの運転を制御する制御装置、その他制御手段（パルス制御など）を有する。
【００５０】
希釈薬剤タンク６は、薬剤５ａを薬剤５ａ毎に異なる散布時の希釈率・分散率になるよう水（水４ａ、水場での初期給水）で希釈・分散した希釈薬剤６ａを散布まで一時貯溜する容器である。希釈薬剤タンク６には、初期希釈薬剤６ａを注入し、或いは水場で給水し、薬剤５ａを投入し初期希釈薬剤６ａを作るための給水口６ｂを設けてもよい。なお、水４ａに溶解せず分散させる必要がある場合には、希釈薬剤タンク６には撹拌機を設けるとよい。
【００５１】
混合装置１５は、タンク４と希釈薬剤タンク６とを結ぶ連結管８と、連結管８に設けたポンプ８ａ、流量計８ｂからなる。連結管８は、水４ａをタンク４から希釈薬剤タンク６に通す。ポンプ８ａは水４ａをタンク４から連結管８を通し希釈薬剤タンク６に送水する。流量計８ｂは、タンク４から希釈薬剤タンク６に送水された送水量を測定し、バルブ５ｂの開閉、その他薬剤５ａの比例注入を制御する装置の運転を制御する信号８ｃを生成する。信号８ｃは、直接薬剤５ａの比例注入を制御する装置に入力されても、他の制御装置に入力され、薬剤５ａの比例注入を制御する装置に別な制御信号として送られてもよい。
【実施例３】
【００５２】
図３は、本発明である節水式薬剤散布装置の他の実施形態の部分断面模式図である。節水式薬剤散布装置１０は、走行車２と、水分回収装置１１と、タンク４と、薬剤タンク５と、希釈薬剤タンク６と、吸気部１３と、排気部１４と、混合装置１５とからなる。
【００５３】
水分回収装置１１は、吸引した空気を冷却する冷却部１１ｂ及び冷却した空気を冷却部１１ｂの排熱で加熱する加熱部１１ｃを収納した熱交換室１１ａと、冷却部１１ｂと加熱部１１ｃを接続する触媒循環ライン１１ｅを通し冷却部１１ｂと加熱部１１ｃに触媒を循環させるヒートポンプ１１ｄとからなる。
【００５４】
さらに、排気１４ｄの加熱は、ヒートポンプ１１ｄの冷却による排熱利用の他に、別途電気、燃料による加熱、走行車２の駆動用の動力の排熱、その他動力の排熱も利用できる。
【００５５】
本発明である節水式散水装置及び節水式薬剤散布装置の動力は、エンジン等の内燃機関、モーター、牽引車両の動力を利用することが可能である。そのエネルギー源として、ガソリン、ガス、水素、太陽電池、蓄電池、その他の動力とのハイブリッド等の組み合わせでもよい。特に、太陽電池、蓄電池、その他の動力とのハイブリッド等の組み合わせであれば、地理的かつ時間的に束縛されにくい長時間にわたる散水・散布が可能になり、かつ環境負荷の少ない作業となる。
【００５６】
このようにしてなる水分回収装置１１では、吸引した空気中の水分を冷却部１１ｂで冷却して凝縮水３ｆにし、回収水３ｇとして熱交換室１１ａの底部に一時貯溜する。そして、回収水３ｇはタンク４に送られる。また、冷却部１１ｂの排熱を利用して吸引した空気を暖める。その後加熱された排気１４ｄを再び散布路面９ｂに吹き付けることとなる。温められた空気には、より多くの水分を湿度として分散させることができるため、吹き付ける風１６が温風であればより効果的に空気中の水分を回収することができる。
【００５７】
吸気部１３は、散布路面９ｂに向け開口し、散布路面９ｂに吹き付けた排気１４ｄ（風１６）を採取する吸気フード１３ｃと、吸気フード１３ｃと熱交換室１１ａの冷却部１１ｂ側とを接続する吸気管１３ａとからなる。
【００５８】
吸気管１３ａには、必要に応じて、空気の吸引を補給する外気取込フード１２、さらにバルブ１２ａ、１３ｂを取り付ける。バルブ１２ａ、１３ｂの開閉により空気の吸引場所、吸引量を制御することができる。  
【００５９】
排気部１４は、排気１４ｄとともに希釈薬剤６ａを散布路面９ｂに吹き付けるよう開口した送気フード１４ｃと、熱交換室１１ａの加熱部１１ｃから排出された排気１４ｄを通す排気管１４ａと、送気フード１４ｃと排気管１４ａとを送風機３ｄを介して接続する送風管１４ｂとからなる。
【００６０】
吸気フード１３ｃ、送気フード１４ｃは、散布路面９ｂに近い位置に配置されることが望ましい。地表近くは湿度が高く、朝夕には露が結露し、効率的に空気中の水分として回収することができる。また、吸気フード１３ｃは、走行車２の進行方向後方に設けることが望ましい。効果的に送気フード１４ｃから散布路面９ｂに吹きかけられた風１６を回収することができる。
【００６１】
送風機３ｄによって、作業環境雰囲気中の空気を水分回収装置１１内に吸引し、水分回収装置１１内の排気１４ｄを送風管１４ｂに通して散布路面９ｂに吹き付ける。
【００６２】
送風管１４ｂ内に、希釈薬剤タンク６から散水ノズル７にポンプ７ａによって希釈薬剤６ａを送る配管７ｂが通っている。従って、希釈薬剤６ａは、排気１４ｄとともに散布路面９ｂに吹き付けられる。
【００６３】
散水ノズル７は、排気１４ｄの風１６と同一箇所或いは排気の風１６より進行方向前側に位置することが望ましい。これにより、希釈薬剤６ａ中の水分も吸気部１３の風１６とともに水分回収装置１１に送られ、回収水３ｇとして回収することができ、一層水の節水になる。
【００６４】
なお、図３では、薬剤タンク５は連結管８の流量計８ｂの下流に接続し、実施例２と異なり薬剤５ａは希釈薬剤タンク６でなく連結管８に注入される。薬剤５ａの注入位置は、希釈薬剤６ａが水４ａと薬剤５ａとで所定の混合比率になるのであればいずれの場所であってもよい。
【符号の説明】
【００６５】
１      節水式薬剤散布装置
２      走行車
２ａ    タイヤ
３      水分回収装置
３ａ    回収室
３ｂ    吸気口
３ｃ    排出口
３ｄ    送風機
３ｅ    水回収部
３ｆ    凝縮水
３ｇ    回収水
４      タンク
４ａ    水
４ｂ    給水口
５      薬剤タンク
５ａ    薬剤
５ｂ    バルブ
５ｃ    補充口
６      希釈薬剤タンク
６ａ    希釈薬剤
６ｂ    給水口
７      散水ノズル
７ａ    ポンプ
７ｂ    配管
８      連結管
８ａ    ポンプ
８ｂ    流量計
８ｃ    信号
９      散水路面
９ａ    農作物
９ｂ    散布路面
１０    節水式薬剤散布装置
１１    水分回収装置
１１ａ  熱交換室
１１ｂ  冷却部
１１ｃ  加熱部
１１ｄ  ヒートポンプ
１１ｅ  触媒循環ライン
１２    外気取込フード
１２ａ  バルブ
１３    吸気部
１３ａ  吸気管
１３ｂ  バルブ
１３ｃ  吸気フード
１４    排気部
１４ａ  排気管
１４ｂ  送風管
１４ｃ  送気フード
１４ｄ  排気
１５    混合装置
１６    風
１７    節水式散水装置
【図１】
2011229499.tif 000003
【図２】
2011229499.tif 000004
【図３】
2011229499.tif 000005
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
熱交換器が備えられ散水環境雰囲気中の空気を吸引し前記熱交換器の冷却部で冷却しその後排気して散水環境雰囲気中の水分を回収する水分回収装置と、前記水分回収装置で回収した回収水を貯溜するタンクと、前記タンクの水を散水する散水ノズルとからなり、
前記熱交換器の熱源がヒートポンプであり、前記排気を前記熱交換器の加熱部で前記冷却部の排熱を利用して加熱し、加熱された排気を散水環境面に吹きかけ、前記散水環境面に当たった風を吸引して得た空気を前記冷却部で冷却することで、排熱を再利用することを特徴とする節水式散水装置。
【請求項２】
請求項１に記載の節水式散水装置に、
さらに、薬剤を貯溜する薬剤タンクと、前記回収水と前記薬剤を混合希釈した希釈薬剤を貯溜する希釈薬剤タンを備え、前記希釈薬剤を前記散水ノズルで散布箇所に散布することを特徴とする節水式薬剤散布装置。